(57)【要約】【課題】  携帯製品等に備えられる開閉機構について、その組立性やさらには操作性を向上したものを提供するとともに、このような組立性等が向上した開閉機構を備えた携帯製品を提供する。【解決手段】  機能部材４、５を収納する収納部１４を有した機器本体２の、収納部１４の開口側を開閉可能に覆う開閉カバー３を備えた開閉機構である。開閉カバー３には軸受部２５が設けられ、軸受部２５には開閉カバー３を開き方向に付勢する付勢部材３０の軸部３１が回動可能に保持されている。軸部３１は、付勢部材３０に一体に形成されてなるとともに、機器本体２に設けられた軸受部１３に保持されている。【選択図】        図２
2005346033.tif 000002
【特許請求の範囲】
【請求項１】
機能部材を収納する収納部を有した機器本体の、該収納部の開口側を開閉可能に覆う開閉カバーを備えた開閉機構であって、
前記開閉カバーには軸受部が設けられ、該軸受部には前記開閉カバーを開き方向に付勢する付勢部材の軸部が回動可能に保持されてなり、前記軸部は、前記付勢部材に一体に形成されてなるとともに、前記機器本体に設けられた軸受部に保持されてなることを特徴とする開閉機構。
【請求項２】
前記開閉カバーの軸受部は、前記軸部を移動可能に保持するよう長孔状に形成されてなり、前記開閉カバーは、前記付勢部材の軸部が該開閉カバーの軸受部を相対的に移動することで、前記機器本体に対しスライド可能となっていることを特徴とする請求項１記載の開閉機構。
【請求項３】
前記付勢部材には引掛部が一体に形成されてなり、前記開閉カバーには、前記引掛部と係脱可能に係合する第１係合部と第２係合部とが設けられ、前記第１係合部は、これに前記引掛部が係合した際、前記開閉カバーを前記機器本体に対して第１の位置に固定するように配置され、前記第２係合部は、これに前記引掛部が係合した際、前記開閉カバーを前記機器本体に対して第２の位置に固定するよう配置されてなることを特徴とする請求項２記載の開閉機構。
【請求項４】
前記付勢部材の軸部が、コイル状に巻回されていることを特徴とする請求項１から３のいずれか一項に記載の開閉機構。
【請求項５】
前記付勢部材と、該付勢部材の軸部を保持する前記開閉カバーの軸受部とが、一体化されてユニット化されており、前記軸部が、前記開閉カバーの軸受部とともに前記機器本体に設けられた軸受部に保持されていることを特徴とする請求項１記載の開閉機構。
【請求項６】
請求項１から５のいずれか一項に記載された開閉機構を備えたことを特徴とする携帯製品。
【発明の詳細な説明】
【技術分野】
【０００１】
本発明は、機能部材を収納する収納部を有した機器本体の、収納部を覆う開閉カバーを備えた開閉機構と、これを備えた携帯製品に関する。
【背景技術】
【０００２】
従来、この種の開閉機構を備えた機器としてデジタルカメラや携帯電話等が知られている。このような機器の中で、例えばデジタルカメラにあっては、被写体を撮像素子により撮像することによって得られた画像データを、装填されるメモリカード等の記録媒体に一旦格納してから、パソコン等の外部機器に取り込むことが出来るようになっている。
また、このようなデジタルカメラでは、電源を供給するための電池を交換可能に収納する電池収納部と前記記録媒体収納部とが近接配置されており、前記電池収納部および前記記録媒体収納部をカバーにより開閉可能に覆うような開閉機構が知られている。（例えば、特許文献１参照）。
【特許文献１】特開２００１−０８８４９０号公報
【発明の開示】
【発明が解決しようとする課題】
【０００３】
ところで、デジタルカメラ等の携帯製品などにあっては、近年、その進化がめざましく、低コスト化や多機能化などがますます進められている。このような背景のもとに、前記開閉機構についても、その組立性（生産性）を向上して低コスト化を図り、さらには操作性を向上することが望まれている。
【０００４】
本発明は前記事情に鑑みてなされたもので、その目的とするところは、携帯製品等に備えられる開閉機構について、その組立性やさらには操作性を向上したものを提供するとともに、このような組立性等が向上した開閉機構を備えた携帯製品を提供することにある。
【課題を解決するための手段】
【０００５】
前記課題を解決するため、本発明の開閉機構は、機能部材を収納する収納部を有した機器本体の、該収納部の開口側を開閉可能に覆う開閉カバーを備えた開閉機構であって、前記開閉カバーには軸受部が設けられ、該軸受部には前記開閉カバーを開き方向に付勢する付勢部材の軸部が回動可能に保持されてなり、前記軸部は、前記付勢部材に一体に形成されてなるとともに、前記機器本体に設けられた軸受部に保持されてなることを特徴としている。
【０００６】
この開閉機構によれば、付勢部材が軸部を一体に形成していることで開閉機構を構成する部品点数が少なくなっており、したがって、組立性が向上して生産性が向上し、低コスト化が図られたものとなる。
さらに、付勢部材が、開閉カバーの開き方向に付勢するようにカバーに設けられていることにより、例えば、開閉カバーにロック機構が設けられている場合に、このロックを解除することで付勢部材の付勢力により開閉カバーが自動的に開くことが可能となり、したがってカバー開閉の操作性が向上する。
【０００７】
また、前記開閉機構においては、前記開閉カバーの軸受部は、前記軸部を移動可能に保持するよう長孔状に形成されてなり、前記開閉カバーは、前記付勢部材の軸部が該開閉カバーの軸受部を相対的に移動することで、前記機器本体に対しスライド可能となっているのが好ましい。
このように、開閉カバーを前記機器本体に対しスライド可能にすることにより、例えば、この開閉カバーをスライドさせることで、開閉カバーが閉じた状態にロックし、または開いた状態となるようにロックを解除するといったロック機構を設けることが可能となる。
【０００８】
また、前記付勢部材には引掛部が一体に形成されてなり、前記開閉カバーには、前記引掛部と係脱可能に係合する第１係合部と第２係合部とが設けられ、前記第１係合部は、これに前記引掛部が係合した際、前記開閉カバーを前記機器本体に対して第１の位置に固定するように配置され、前記第２係合部は、これに前記引掛部が係合した際、前記開閉カバーを前記機器本体に対して第２係合部に固定するよう配置されてなることが好ましい。
このようにすれば、開閉カバーをスライドさせると、軸部が機器本体に保持された付勢部材の引掛部に対して、開閉カバーが相対的に移動することで、該引掛部は該開閉カバーに形成されている第１係合部と第２係合部とに対し係脱するようになる。
したがって、例えば第１の係合部で係合する第１の位置で開閉カバーがロックされ、第２の係合部で係合する第２の位置でロックがはずれるようにロック機構を形成することが可能になる。
さらに、引掛部が第１係合部から第２係合部へと移動する際またはその逆の際には、開閉カバーを操作する指に対して、引掛部が第１または第２の係合部から脱離しまたは係合するときの感触が伝わることにより、引掛部の移動の状態を正確に判断することが可能となり、操作性が向上して、確実な開閉の操作が可能となる。
【０００９】
また、前記開閉機構においては、前記付勢部材の軸部が、コイル状に巻回されていることが好ましい。
このようにすれば、軸部をコイル状にすることで見掛け上の大きさを小さくしたまま軸部の実質的な長さを長くすることが可能となり、したがって開閉カバーの開閉操作によって一番負荷のかかる軸部にへたりが起こり、これに起因して開閉機能が低下するのが防止される。
【００１０】
また、前記開閉機構においては、前記付勢部材と、該付勢部材の軸部を保持する前記開閉カバーの軸受部とが、一体化されてユニット化されており、前記軸部が、前記開閉カバーの軸受部とともに前記機器本体に設けられた軸受部に保持されているのが好ましい。
このようにすれば、付勢部材と開閉カバーの軸受部とが予め一体化されてユニット化されているので、特に組立時に、開閉カバーに前記のユニットを取り付けた後、開閉カバーの軸受部を単に機器本体の軸受部に保持させるだけで、付勢部材および開閉カバーを機器本体に取り付けることができ、したがって、開閉機構やこれを用いた製品の組立性を向上することができる。
【００１１】
本発明の携帯製品は、前記の開閉機構を有する携帯製品において第１の発明の開閉機構を備えたことを特徴としている。
この携帯製品によれば、低コスト化が図られ、さらには操作性が向上した前記の開閉機構を備えているので、この携帯製品自体も低コスト化、操作性向上が図られたものとなる。
【発明の効果】
【００１２】
本発明の開閉機構は、構成される部品点数を少なくしたことで、組立性を向上し、これにより生産性を向上して低コスト化を図ることができる。さらには、操作性を向上することもできる。
また、本発明の開閉機構を備えた携帯製品においても、携帯製品自体の低コスト化、操作性を向上することができる。
【発明を実施するための最良の形態】
【００１３】
以下、本発明を詳しく説明する。
図１（ａ）、（ｂ）は、本発明の開閉機構を備えたデジタルカメラの一実施形態を示す図である。図１（ａ）、（ｂ）において符号１は本発明の携帯製品としてのデジタルカメラであり、このデジタルカメラ１は、機器本体２と開閉カバー３とから構成されたものである。
【００１４】
図１（ａ）に示すように、機器本体２には、その正面部に画像を撮影するためのレンズ部９およびフラッシュ１０が設けられており、正面上部には画像撮影時に使用するシャッターボタン１１が設けられている。
また、背面部には、図１（ｂ）に示すように撮影画像を表示するためのＬＣＤ表示部６および撮影した画像を保存したりする際に操作する操作ボタン１２が設けられている。一方の側面部の一端側には、機能部材である電池４およびメモリカード等の記録媒体５を収納するために収納部１４が形成されており、この収納部１４には電池４および記録媒体５が収納されている。
そして、前記収納部１４にはその開口側を開閉可能に覆うように開閉カバー３が設けられており、これによって前記収納部１４に収納された前記電池４および前記記録媒体５は、開閉カバー３に覆われるようになっている。
【００１５】
図２に示すように、前記収納部１４に収納されている前記電池４の近傍には、前記開閉カバー３が開いている際に、前記電池４の脱落を防止するために設けられた電池ロック７が配置されている。そして、前記収納部１４の一端側の開口縁には外側に延出する第１係合片８が形成されている。
また、前記収納部１４の他端側の開口縁には、前記開閉カバー３を開閉可能に保持する軸受部１３が形成されている。
【００１６】
前記開閉カバー３は、図３（ａ）に示すように略長方形状の蓋部２０と、この蓋部２０の両長辺及び一辺に形成された平面視コ字状の側板部２１とを備えたもので、側板部２１を形成していない短辺２３の両端部に、前記機器本体２の軸受部１３に後述する軸部３１を介して連結する軸受部２５を有したものである。
側板部２１には、前記軸受部２５と反対の側の側板２２の端縁に、前記軸受部２５側に向かって延びる第２係合片２４が形成されている。この第２係合片２４は、前記収納部１４側に形成された第１係合片８に係合することにより、前記開閉カバー３を収納部１４に対し閉じた状態に保持するものとなっている。このような構成のもとに第１係合片８と第２係合片２４とは、開閉カバー３を閉じた状態に保持するロック機構を構成するものとなっている。
【００１７】
また、前記開閉カバー３の内面には、図３（ｂ）に示すように前記蓋部２０の略中央部にブロック状の係合部材２７が形成配置されている。この係合部材２７には、蓋部２０の短辺と平行に形成されたＶ溝状の第１の凹部２７ａと第２の凹部２７ｂとが形成されており、これら第１の凹部２７ａおよび第２の凹部２７ｂは、後述するように付勢部材の引掛部に係合する第１係合部及び第２係合部となっている。
また、開閉カバー３の内面には、前記係合部材２７の両側に、機器本体２と電池４との電気的接触を良好にするような金属端子部等で形成された電池押さえ部２８が取付けられている。
【００１８】
開閉カバー３には、付勢部材３０が前記軸受部２５に保持された状態で設けられている。この付勢部材３０は、ステンレスや高引張鋼などの金属、あるいは合成樹脂からなるもので、本実施形態では金属製の１本の線材を成形したものからなっている。すなわち、この付勢部材３０は、図４に示すように、その両端部に、コイル状に巻回されてなる軸部３１、３１を有し、これら軸部３１、３１間にコ字状に折曲されてなる付勢部３３を有し、さらに一方の軸部３１の中間部に細長いコ字状に折曲されてなる固定部３２を有したものである。
また、固定部３２は、力の加えられていない通常時において、前記付勢部３３に対して所定の角度に保持されるよう、軸部２１に対し折曲した状態に形成されている。さらに、前記付勢部３３の略中間部は、前記係合部材２７の第１の凹部２７ａ（第１係合部）あるいは第２の凹部２７ｂ（第２係合部）に係脱可能に係合する引掛部３３ａとなっている。
【００１９】
前記軸部３１、３１は、図２に示したように開閉カバー３の軸受部２５に保持され、さらに機器本体２の軸受部１３に挿通してここに保持されたものである。ここで、開閉カバー３の軸受部２５は、図３に示したように長孔２６を有し、この長孔２６内に前記軸部３１を回動可能かつ移動可能に挿通させ、これを保持するようにしたものである。一方、機器本体２の軸受部１３は、貫通孔または穴からなり、ここに前記軸部３１をほぼ固定した状態に保持したものとなっている。このような構成のもとに開閉カバー３は、機器本体２の軸受部１３に固定された軸部３１に対し、軸受部２５が相対的に移動可能となっていることにより、機器本体２に対して移動可能、すなわちスライド可能となっている。
【００２０】
また、付勢部材３０は、前述したように軸部３１、３１が軸受部２５に保持されたことにより、図５に示すようにその固定部３２が、機器本体２の収納部１４の内面（開口面）に当接した状態となっている。したがって、開閉カバー３が機器本体３に対して閉じた状態、すなわち前記収納部１４を覆った状態では、図６（ａ）、（ｂ）に示すように固定部３２に対して付勢部３３が弾性変形した状態となる。よって、この状態において付勢部材３０は、付勢部３３が弾性復帰する力により、開閉カバー３を開く方向に付勢するようになっている。
【００２１】
また、前記開閉カバー３は、引掛部３３ａと第１の凹部２７ａとが係合した状態においては、開閉カバー３の第２係合片２４と機器本体２の第１係合片８とが係合して前述したロック機構により閉じた状態（図６（ａ））にロックされた位置（第１の位置）となる。
また、開閉カバー３は、引掛部３３ａと第２の凹部２７ｂとが係合した状態においては、前記第２係合片２４と前記第１係合片８とが脱離した状態（図６（ｂ））となってロックが解除された位置（第２の位置）となる。
【００２２】
次に、このような構成からなるデジタルカメラ１の、開閉カバー３の開閉機構について説明する。
開閉カバー３が閉まった状態では、図６（ａ）に示されるよう開閉カバー３に形成された第２係合片２４と機器本体２に形成された第１係合片８とが係合することにより開閉カバー３が閉まった状態にロックされたものとなっている。すなわち、付勢部材３０が開閉カバー３に対し開く方向に付勢力を与えているので、この付勢力によって前記第１係合片８と第２係合片２４との間の係合がより確実なものになり、ロックが良好に働いた状態となっている。
なお、この状態では、付勢部材３０の引掛部３３ａは開閉カバー３の第１の凹部２７ａに係合した状態となっている。
【００２３】
そして、電池４や記録媒体５を交換するため、この閉じられた状態から開閉カバー３を開く場合には、例えばデジタルカメラ１を片手で持った状態で、その手の親指などで開閉カバー３を図６（ａ）中の矢印Ａ方向にスライドさせる。
【００２４】
すると、開閉カバー３の移動に伴って開閉カバー３の軸受部２５は、その長孔２６が前記軸部３１に対して矢印Ｂ方向に相対的に移動する。このとき、前記引掛部３３ａは、開閉カバー３に対して矢印Ｂ方向に相対的に移動することなり、したがって第１の凹部２７ａからＶ溝壁を乗り越えて脱離し、再び第２の凹部２７ｂに係合した状態になる。このとき、操作者は指先でクリック感を得ることができる。
【００２５】
引掛部３３ａが第２の凹部２７ｂに係合した状態においては、図６（ｂ）に示すように開閉カバー３に設けられた第２係合片２４と機器本体２に設けられた第１係合片８とが脱離してロックが解除されるため、開閉カバー３は収納部１４に対して回動可能となる。
したがって、開閉カバー３は、図５に示すように付勢部材３０の付勢力によってカバーの開き方向である矢印Ｂ方向に半自動的に開き、収納部１４が開口することで、電池４や記録媒体５が取り出し可能となる。
【００２６】
また、このようにして開かれた開閉カバー３を再度閉じる場合には、親指などで開閉カバー３を図５に示す矢印Ａ方向に回動させることで、露出された電池４および記録媒体５を覆った状態にする。
そして、さらに開閉カバー３を図６（ｂ）中の矢印Ｂ方向にスライドさせることにより、付勢部材３０の引掛部３３ａを第２の凹部２７ｂから第１の凹部２７ａに移動させてここに係合させ、開閉カバー３を閉じた状態（図６（ａ））にロックする。
【００２７】
このようなデジタルカメラ１の開閉機構にあっては、開閉カバー３に設けられた付勢部材３０が、開閉カバー３が閉じられた状態において、その付勢力により、開閉カバー３のロックを強め、また、開閉カバー３が開く際にはその付勢力によって開閉カバー３を開く方向に付勢されるようになっている。したがって、この付勢部材３０によって開閉カバー３を半自動的に開くようにしたことから、開閉カバー３の開き操作を容易にしてその操作性を向上することができる。
また、付勢部材３０を１本の線材から成形し、さらには軸部３１を一体に形成していることでこの付勢部材３０によって開閉カバー３を機器本体２に保持しているので、開閉機構を構成する部品点数を少なくし、その組立性（生産性）を向上させて、低コスト化を図ることができる。
【００２８】
また、開閉カバー３の軸受部２５を長孔２６を有した状態に形成しているので、開閉カバー３が機器本体２に対してスライド可能となり、したがって開閉カバー３の開閉操作が容易になってその操作性が向上する。
【００２９】
また、付勢部材３０の引掛部３３ａが係脱可能となるように、開閉カバー３の係合部材２７に第１の凹部２７ａと第２の凹部２７ｂとを設けたことにより、開閉カバー３をロック状態、ロック解除状態といった２つの位置に保持するロック機構を設けることができる。
また、開閉カバー３をスライドさせた際に、開閉カバー３を操作する指に対して、引掛部３３ａが係合部材２７から脱離しまたは係合した際の感触がクリック感として伝わるので、操作性が向上し、確実に開閉カバー３を操作することができる。
【００３０】
また、付勢部材３０の軸部３１をコイル状に巻回したことで、見掛け上の大きさを小さくしたまま付勢部材３０の全長を長くすることができ、したがって多数回の開閉カバーの開閉操作によって付勢部材３０に一番負荷のかかる軸部３１のへたりによる付勢力の低下を防止することができるようになり、全体として付勢部材３０の強度および耐久性を向上させることができる。
【００３１】
また、このような開閉機構を備えたデジタルカメラ１は、前述したように付勢部材３０の付勢力で開閉カバー３の開き方向に付勢することで半自動的に開くことができ、付勢部材３０に軸部３１が一体となって形成されているので部品点数を減らすことができ、軸部３１をコイル状に巻回したことで耐久性を向上ができ、開閉カバー３がスライド操作可能になっているので、操作性にも優れ、組立性（生産性）が向上し、低コスト化にも優れたものとなる。
【００３２】
なお、本発明は前記実施形態に限定されることなく、本発明の要旨を逸脱しない限り種々の変更が可能である。例えば、図７（ａ）に示すように、付勢部材３０の軸部に形成されている固定部３２の代わりに、軸部３１の両端部に線材を略円環状あるいは略ロ字状に折曲してなる固定部３２ａを形成してもよい。この固定部３２ａについては、力の加えられていない通常時において、付勢部３３に対して所定の角度に保持されるように形成しておく。さらに、図７（ｂ）に示すように機器本体２の軸受部１３には、付勢部材３１の軸部３１を保持する孔部１３ａと、前記固定部３２ａを保持し固定する切欠部１３ｂとを形成しておく。このようにして、機器本体２に付勢部材３０を取り付けることにより、開閉カバー３に対し、図４に示した付勢部材３０と同様に開き方向の付勢力を働かせることができ、しかも収納部１４の内面を外観上シンプルにすることができる。
【００３３】
また、図７（ａ）に示した付勢部材３０を用いる場合、この付勢部材３０をユニット化しておくことができる。図８は、図７（ａ）に示した付勢部材３０と開閉カバー３の軸受部とを一体化し、ユニット化したもので、図８中符号４０は付勢部材ユニット、二点鎖線で示した４１は開閉カバー３の軸受部となる軸受キャップである。付勢部材ユニット４０は、図７（ａ）に示した付勢部材３０と、これの軸部３１を保持する軸受キャップ４１とからなるものである。
【００３４】
軸受キャップ４１は、有蓋円筒状のもので、その開口側に付勢部材３０の軸部３１を挿入させたことにより、これを保持している。この軸受キャップ４１には、その内壁面に中心軸方向に延びる溝（図示せず）が２条形成されており、これら溝には、前記軸部３１の固定部３２ａの側部が係合している。このような構成のもとに、軸部３１は軸受キャップ４１内にて空回りすることなく、固定された状態に保持されている。
【００３５】
また、この軸受キャップ４１には、その蓋部４２に突条４３が形成されており、この突条４３が、図７（ｂ）に示した孔部１３ａの切欠部１３ｂに係合するようになっている。すなわち、この軸受キャップ４１は、付勢部材３０の軸部３１を固定し保持した状態で図７（ｂ）に示した孔部１３ａに挿入され、ここに保持されるようになっている。そして、孔部１３ａに保持された状態で、前記突条４３が切欠部１３ｂに係合することにより、軸受キャップ４１は孔部１３ａ内にて空回りすることなく、固定された状態に保持されている。
【００３６】
また、このような付勢部材ユニット４０は、開閉カバー３に対して、相対的にスライド可能に取り付けられている。すなわち、開閉カバー３は、機器本体２とこれに保持固定される軸受キャップ４１に対して、図６（ａ）、（ｂ）に示したように相対的にスライド可能に取り付けられているのである。なお、開閉カバー３への付勢部材ユニット４０の組立（または付勢部材ユニット４０への開閉カバー３の組立）については、特に限定されることなく、従来公知の種々の構成を採用することができる。
【００３７】
例えば、図９に示すように開閉カバー３の一端側（図２に示した、収納部１４における第１係合片８と反対の側）に、その両側部にて細板状に突出する一対の細板部３ａを形成しておく。一方、軸受キャップ４１には、その側壁部の外側に前記細板部３ａをスライド可能に保持する保持部４１ａを形成しておく。この保持部４１ａについては、例えば細板部３ａをスライド可能に挿通させるスリットや環状部を有したもの、さらには細板部３ａの両側をスライド可能に挟持する一対の爪部材などによって形成することができる。
【００３８】
このように付勢部材３０と軸受キャップ４１とを一体化して予めユニット化した付勢部材ユニット４０を用いるようにすれば、本発明の開閉機構、さらにはデジタルカメラ１の組立時に、開閉カバー３に付勢部材ユニット４０を取り付けた後、その軸受部（軸受キャップ４１）を単に機器本体２の孔部（軸受部）１３ａに保持させるだけで、付勢部材３０および開閉カバー３を機器本体２に取り付けることができ、したがって、開閉機構やこれを用いたデジタルカメラ１の組立性を向上することができる。
【００３９】
また、前記実施形態では、付勢部材３０として金属製の１本の線材を成形したものを用いたが、本発明ではこれに限定されることなく、弾性を有する樹脂製の材料を成形して用いるようにしてもよい。
また、付勢部材３０に設けられた固定部３２を１箇所ではなく、複数箇所設けることで、より強い付勢力を開閉カバー３に与えるようにしても良い。
さらには、付勢部材３０のコイル状に巻回した部分を直線状にすることにより、部材の製造工程をより容易にしても良い。
【００４０】
また、本実施形態では、本発明の開閉機構を備えた携帯製品としてデジタルカメラに適応した場合について説明したが、収納部を有したものであれば、デジタルカメラ以外にも例えば携帯電話等の各種の携帯製品に適用することができる。
【図面の簡単な説明】
【００４１】
【図１】本発明の開閉機構を備えたデジタルカメラの概略構成を示し、  （ａ）はデジタルカメラ正面の斜視図、（ｂ）はデジタルカメラ背面の斜視図である。
【図２】開閉カバーを開いた状態を示す図である。
【図３】（ａ）は開閉カバーを示す斜視図であり、（ｂ）は開閉カバーの内面側の要部拡大図である。
【図４】付勢部材の構成を示す平面図である。
【図５】図２のＡ−Ａ線矢視断面図である。
【図６】（ａ）は開閉カバーがロックされた状態を示す側断面図であり、（ｂ）は開閉カバーのロックが解除された状態を示す側断面図である。
【図７】（ａ）は付勢部材の別の形態を示す平面図であり、（ｂ）は付勢部材の軸部および機器本体の軸受部の要部拡大図である。
【図８】付勢部材と開閉カバーの軸受部とを一体化し、ユニット化した例を示す概略構成図である。
【図９】図８に示したユニットの、開閉カバーや機器本体への組立を説明するための図である。
【符号の説明】
【００４２】
１…デジタルカメラ（携帯製品）、２…機器本体、３…開閉カバー、
４…電池（機能部材）、５…記録媒体（機能部材）、１３…軸受部、１３ａ…孔部、
１４…収納部、２５…軸受部、２６…長穴、２７ａ…第１の凹部（第1係合部）、
２７ｂ…第２の凹部（第２係合部）、３０…付勢部材、３１…軸部、３３ａ…引掛部、
４０…付勢部材ユニット、４１…軸受キャップ
【図１】
2005346033.tif 000003
【図２】
2005346033.tif 000004
【図３】
2005346033.tif 000005
【図４】
2005346033.tif 000006
【図５】
2005346033.tif 000007
【図６】
2005346033.tif 000008
【図７】
2005346033.tif 000009
【図８】
2005346033.tif 000010
【図９】
2005346033.tif 000011